(57)【特許請求の範囲】
【請求項１】
以下の部材を備えたことを特徴とする超電導ケーブル。
(a)  MgB2を用いて作製された超電導線からなる導体と、
(b)  前記導体を収容し、前記導体の超電導状態を維持するための液体水素または冷却水素ガスを導通する冷却管。
【請求項２】
以下の部材を備えたことを特徴とする請求項１に記載の超電導ケーブル。
(a)  前記超電導線が、巻芯に螺旋状に巻き付けられて形成された導体と、
(b)  前記導体の外側に巻きつけられた電気絶縁層と、
(c)  前記電気絶縁層の外周に、必要に応じて巻線され、導体と逆位相のシールド電流が通電されるシールド用の超電導線と、
(d)  前記導体を収容し、前記液体水素または冷却水素ガスが導通される冷却管と、
(e)  前記冷却管の外側に、巻きつけられるように形成された断熱材の層と、
(f)  前記断熱材の層の外側に、大気圧以下に保持できるように空間を備えて設けられた真空断熱管。
【請求項３】
以下の部材を備えたことを特徴とする請求項1に記載の超電導ケーブル。
(a)  前記超電導線が、巻芯に螺旋状に巻き付けられて形成された導体と、
(b)  前記導体の外側に巻きつけられた保護層と、
(c)  前記保護層の巻かれた導体を収容し、前記液体水素または冷却水素ガスが導通される冷却管と、
(d)  前記冷却管の外側に巻きつけられるように形成された断熱材の層と、
(e)  前記断熱材の層の外側に、大気圧以下に保持するための空間を設けて配設された真空断熱管と、
(f)  前記真空断熱管の外側に巻きつけられるように形成された電気絶縁層と、
(g)  前記電気絶縁層を保護するように、外側に巻きつけられるように形成されたシース層。
【発明の詳細な説明】
【０００１】
【発明の属する技術分野】
本発明は、水素ガスや液体水素を冷媒とした超電導ケーブルに関し、詳細には水素ガスや液体水素を冷媒として用いたMgB2超電導ケーブルに関する。
【０００２】
【従来の技術】
超電導を利用した技術について、液体水素を冷媒に用い、電力エネルギーを送りながら燃料としても輸送するための超電導線材には、従来酸化物系の超電導線が用いられていた。これら酸化物系の超電導線は、例えば、銀または銀合金のシースを持ったBi-2223（Bi2Sr2Ca2Cu3Oy）系超電導体を用いてテープ形状や丸線を撚り合わせたものである。図4としての表2に酸化物超電導線の特性の一例を示した。
【０００３】
超電導ケーブルは、可撓性の管などを巻枠とし、その外周部に複数の超電導線を巻き付けて導体の層が形成されたものである。外周部には、クラフト紙などが巻き付けられて電気絶縁層が形成される。磁気遮蔽が必要な場合には、電気絶縁層の上に、さらに超電導線を巻き付けてシールド層とする。
【０００４】
この絶縁、または絶縁及びシールドされた導体は、各々を冷却用の管に収容したり、また導体を3芯撚り合わせたものを冷却用の管に収納して冷却される。これらの冷却管の外側には真空断熱層を形成するための真空断熱管が設けられる。そして、冷媒としての液体水素が、巻枠の内部や冷却管の中を圧送されて、導体が冷却される。
【０００５】
【発明が解決しようとする課題】
冷媒に用いられる水素は可燃性が強いので、電力を輸送する場合には周囲の酸素濃度に注意を払う必要がある。ところで、超電導材料に酸化物高温超電導線を用いた場合には、電力輸送時に短絡事故が起きた際、不測の事態も予想されるため実用化に難点があった。
【０００６】
本発明の目的は、超電導線に、酸素元素を含まないMgB2超電導線を用いることによって、短絡事故などの場合でも水素を安全に輸送できるようにすることである。
【０００７】
【課題を解決するための手段】
前記課題を解決するために、本発明の第１の態様は、以下の部材を備えたことを特徴とする超電導ケーブルである。
(a)  MgB2を用いて作製された超電導線からなる導体と、
(b)  前記導体を収容し、前記導体の超電導状態を維持するために、液体水素または冷却水素ガスを導通する冷却管。
【０００８】
本発明の第2の態様は、以下の部材を備えたことを特徴とする超電導ケーブルである。
(a)  前記超電導線が、巻芯に螺旋状に巻き付けられて形成された導体と、
(b)  前記導体の外側に巻きつけられた電気絶縁層と、
(c)  前記電気絶縁層の外周に、必要に応じて巻線され、導体と逆位相のシールド電流が通電されるシールド用の超電導線と、
(d)  前記導体の複数本を撚り合わせて収容し、前記液体水素または冷却水素ガスが導通される冷却管と、
(e)  前記冷却管の外側に、巻きつけられるように形成された断熱材の層と
(f)  前記断熱材の層の外側に、大気圧以下に保持できるように空間を備えて設けられた真空断熱管。
【０００９】
本発明の第3の態様は、以下の部材を備えたことを特徴とする超電導ケーブルである。
(a)  前記超電導線が、巻芯に螺旋状に巻き付けられて形成された導体と、
(b)  前記導体の外側に巻きつけられた保護層と、
(c)  前記保護層の巻かれた導体を収容し、前記液体水素または冷却水素ガスが導通される冷却管と、
(d)  前記冷却管の外側に巻きつけられるように形成された断熱材の層と、
(e)  前記断熱材の層の外側に、大気圧以下に保持するための空間を設けて配設された真空断熱管と、
(f)  前記真空断熱管の外側に巻きつけられるように形成された電気絶縁層と、
(g)  前記電気絶縁層を保護するように、外側に巻きつけられるように形成されたシース層。
【００１０】
【実施の形態】
(実施の形態の第1)
以下に本発明の実施の形態の第1について、図1に示した超電導ケーブルを用いて説明する。導体5は、外径21mmで厚さが1mmのステンレス鋼製のスパイラル管の外周に直径が2mmの銅線を32本撚り合わせた外径が25mmの巻芯2に、ピッチが約300mm、1層当たり18本の超電導線3を螺旋状に巻き付けた4層で形成されている。その上には電気絶縁層4が形成されている。ここで、超電導線3は、MgB2製であり、その特性は図3としての表1に示した。
【００１１】
本例では電気絶縁層4は、クラフト紙(幅30mm、厚さ150μm)を40層巻き付けたが、クラフト紙以外にOPPLなどの半合成紙も用いることができる。また、電気絶縁層4の巻数はケーブルの耐電圧値によって変わることがある。さらに、交流電力を輸送する場合には、この電気絶縁層4の外周にシールドのために超電導線を巻線して導体層とぼぼ逆位相のシールド電流を通電できるようにすることもある(図示せず)。
【００１２】
この導体5の2本をピッチ1000mmとして撚り合わせたものを、直径が95mm、厚さ2mmのステンレス鋼製コルゲート管からなる冷却管6に収容した。そして、冷却管6の外側に、幅500mm、厚さ0.1mmのポリエステルフィルムの片面にアルミニウムを50nm厚みに蒸着したシートを40層巻き付けて多層断熱材7を形成して、直径130mm、厚さ2mmのステンレス製のコルゲート管からなる真空断熱管8に収容した。真空断熱管8内は、ガスによる冷却管6への熱伝導を主に低減することを目的に大気圧以下、例えば1×10-3Pa程度の真空に保持される。
【００１３】
本例では、直流電力用ケーブルとして導体2本を撚り合わせたものを使用したが、交流電力を輸送する場合には、3相分を通電するために導体5を3本撚り合わせることもある。
【００１４】
この超電導ケーブル1の円筒状巻芯の内側、及び導体5と冷却管6との間の空間に液体水素を1kg/cm2のゲージ圧で流し、2本の導体5に直流電流4kAを往復で超電導状態で通電することができた。さらに、短絡試験を行ったところ、液体水素に引火することなく、安全であることが分かった。
【００１５】
(実施の形態の第2)
以下に本発明の実施の形態の第2について、図2に示した超電導ケーブルを用いて説明する。導体層5は、外径21mmで厚さが1mmのステンレス鋼製のスパイラル管の外周に直径が2mmの銅線を32本撚り合わせた外径が25mmの巻芯2に、ピッチが約300mm、1層当たり18本の超電導線3を螺旋状に巻き付けた4層で形成されている。
ここで、超電導線3は、MgB2製であり、その特性は図3としての表1に示した。
【００１６】
本例では、導体層5の外側に保護層9を形成している。この保護層は、幅が30mm、厚さが0.2mmの銅テープを2層巻きつけたものである。保護層9を設ける目的は、超電導線が冷却管の波付け部分に直接接触すると歪が加わって超電導性が低下するので、テープを巻きつけ直接触れないようにするためである。
【００１７】
この導体5の1本を、直径が30mm、厚さ2mmのステンレス鋼製コルゲート管からなる冷却管6に収容した。そして、冷却管6の外側に、幅500mm、厚さ0.1mmのポリエステルフィルムの片面にアルミニウムを50nm蒸着したシートを30層巻き付けて多層断熱材7を形成して、直径50mm、厚さ2mmのステンレス鋼製のコルゲート管からなる真空断熱管8に収容した。真空断熱管8内は、ガスによる冷却管6への熱伝導を主に低減することを目的に大気圧以下、例えば1×10-3Pa程度に保持される。
【００１８】
本例では、真空断熱管8の外側に電気絶縁層10が形成される。電気絶縁層10は、架橋ポリエチレン(厚さ11mm)を被覆した。本例では、電気絶縁層10を、冷媒と接することのない常温の部分に設けるので、絶縁材料としてCVケーブルと同じようにプラスチックを用いることが可能である。プラスチック以外に、クラフト紙、OPPLなどの半合成紙も用いることができる。また、電気絶縁層10の厚さはケーブルの耐電圧値によって変わることがある。
【００１９】
電気絶縁層10の外側には、保護用ステンレス鋼製シース11を形成する。この保護用ステンレス鋼製シース11は、幅が30mm、厚さ0.2mmのステンレス鋼製のテープを2層巻きつけたもので、目的は絶縁層の保護である。
【００２０】
この超電導ケーブル1の円筒状巻芯の内側、及び導体5と冷却管6との間の空間に液体水素を1kg/cm2のゲージ圧で流し、導体5に直流電流4kAを往復で超電導状態で通電することができた。さらに、短絡試験を行ったところ、液体水素に引火することなく、安全であることが分かった。
【発明の効果】
本発明により、電力を低損失で輸送し、かつ水素ガスおよび液体水素を安全に輸送できる超電導ケーブルを提供できる。
【図面の簡単な説明】
【図１】本発明の第1の実施の形態の超電導ケーブルを示す図である。
【図２】本発明の第2の実施の形態の超電導ケーブルを示す図である。
【図３】図3としての表1に示した本発明に係わるMgB2超電導線の特性である。
【図４】図4としての表2に示した酸化物超電導線の特性である。
【符号の説明】
１  超電導ケーブル
２  巻芯
３  超電導線
４  電気絶縁層
５  導体
６  冷却管
７  多層断熱材
８  真空断熱管
９  保護層
１０  電気絶縁層
１１  保護用ステンレス鋼製シース
【図１】
0004667644.tif 000002
【図２】
0004667644.tif 000003
【図３】
0004667644.tif 000004
【図４】
0004667644.tif 000005